(57)【要約】【課題】  使用者が眼鏡の重心位置を自由に調節することができる、錘を備えた眼鏡のモダンを提供する。【解決手段】  内部に複数個の錘８を収納可能な筒状部１１を備え、筒状部１１はプラグ１２又はキャップ等で開閉される。収納する錘８の数を変えることにより眼鏡全体の重心位置を調節可能とする。複数の錘８は、スプリング９で付勢されて固定されるか、或いは磁石１３で吸着されて固定される。【選択図】  図３
2006323010.tif 000002
【特許請求の範囲】
【請求項１】
眼鏡のモダンであって、内部に複数個の錘を収納可能な筒状部を備え、収納する錘の数を変えることにより眼鏡全体の重心位置を調節可能としたことを特徴とするモダン。
【請求項２】
前記筒状部がその端部にプラグ又はキャップを備え、螺合により開閉可能としたことを特徴とする請求項１に記載のモダン。
【請求項３】
前記筒状部が内部の一端側にスプリングを備え、前記錘を他端側に付勢可能としたことを特徴とする請求項１又は２に記載のモダン。
【請求項４】
前記錘の材質がタングステンであることを特徴とする請求項１乃至３の何れかに記載のモダン。
【請求項５】
前記プラグ又はキャップが磁石を備え、前記錘を前記プラグ又はキャップに吸着可能としたことを特徴とする請求項２に記載のモダン。
【請求項６】
前記錘が磁石であり、相互に吸着可能としたことを特徴とする請求項１に記載のモダン。
【請求項７】
前記錘が、同一形状で同一重量の複数の錘からなることを特徴とする請求項１乃至６の何れかに記載のモダン。
【発明の詳細な説明】
【技術分野】
【０００１】
本発明は眼鏡のモダンに関し、特に、眼鏡の重心位置を調節するための錘を収納することが可能なモダンに関する。
【背景技術】
【０００２】
近年、眼鏡レンズにはプラスチックが使用され、眼鏡フレームの材質にはナイロン系の樹脂やチタン等が使用されることにより、軽量化が進んでいる。しかしながら、眼鏡が軽量化するにつれて、その重心位置がレンズ近傍に著しく偏倚することになり、装用感が悪くなるという問題を生じている。
【０００３】
眼鏡の重さは鼻及び両耳で支持されているが、重心の偏倚により大部分の荷重は鼻に作用している。このため眼鏡を装用しているときには、偏倚荷重によって適正な位置からずり落ちるという問題があり、鼻が痛くなるという問題がある。また、眼鏡をはずしたときには、鼻の上にパッドの跡が残って目立つという問題がある。さらに、女性の場合には、パッドに接触している部分から化粧崩れするという問題がある。
【０００４】
このような問題を解決するために、モダンの後端部にアクセサリを取り付け、これによって眼鏡全体のバランスを補正することが提案されている（例えば、特許文献１参照。）。すなわち、アクセサリを錘として利用することにより、眼鏡の重心をレンズから後方へと移動させ、装用感を改善しようとするものである。しかしながら、眼鏡に常時アクセサリを取り付けておくことは、多くの使用者にとって煩わしくなることが少なくない。
【０００５】
そこで、眼鏡のモダンに目立たない錘を取り付けて、重心位置の偏倚を補正することが望ましい。しかし、モダンの内部に錘を埋め込むような方法は、眼鏡のメーカでのみ製作可能である。したがって、使用者が好みの眼鏡を入手することは困難であり、また、使用者が自ら調節することも不可能である。
【特許文献１】特開２００５−３７６１４号公報
【発明の開示】
【発明が解決しようとする課題】
【０００６】
解決しようとする課題は、偏倚した眼鏡の重心位置を補正するために内部に錘を取り付けたモダンであって、使用者が重心位置を自ら調節することができるモダンを提供することである。また、これにより、鼻が痛くなったり、適正な位置からずり落ちたりすることのない眼鏡を提供することである。さらに、鼻の上にパッドの跡が残ったり、化粧崩れしたりすることのない眼鏡を提供することである。
【課題を解決するための手段】
【０００７】
上記の課題を解決するために、本発明の請求項１に係るモダンは、眼鏡のモダンであって、内部に複数個の錘を収納可能な筒状部を備え、収納する錘の数を変えることにより眼鏡全体の重心位置を調節可能とした手段を採用している。また、本発明の請求項２に係るモダンは、請求項１に記載のモダンにおいて、前記筒状部がその端部にプラグ又はキャップを備え、螺合により開閉可能とした手段を採用している。
【０００８】
また、本発明の請求項３に係るモダンは、請求項１又は２に記載のモダンにおいて、前記筒状部が内部の一端側にスプリングを備え、前記錘を他端側に付勢可能とした手段を採用している。さらに、本発明の請求項４に係るモダンは、請求項１乃至３の何れかに記載のモダンにおいて、前記錘の材質がタングステンである手段を採用している。
【０００９】
また、本発明の請求項５に係るモダンは、請求項２に記載のモダンにおいて、前記プラグ又はキャップが磁石を備え、前記錘を前記プラグ又はキャップに吸着可能とした手段を採用している。さらに、本発明の請求項６に係るモダンは、請求項１に記載のモダンにおいて、前記錘が磁石であり、相互に吸着可能とした手段を採用している。また、本発明の請求項７に係るモダンは、請求項１乃至６の何れかに記載のモダンにおいて、前記錘が、同一形状で同一重量の複数の錘からなる手段を採用している。
【発明の効果】
【００１０】
本発明のモダンは、上記の手段を採用することにより、使用者が眼鏡の重心位置を自ら調節することができる。そして、使用者が適切な調整を行うことにより、鼻が痛くなったり、適正な位置からずり落ちたりすることのない眼鏡とすることができる。さらに、鼻の上にパッドの跡が残ったり、化粧崩れしたりすることのない眼鏡とすることができる。
【発明を実施するための最良の形態】
【００１１】
以下、本発明の実施例を図面に基づいて説明する。本発明は眼鏡のモダンであって、対象となる眼鏡１は図１及び図２に示すように通常の眼鏡である。すなわち、対象となる眼鏡１は、眼鏡レンズ２、ブリッジ３、パッド４、鎧５、テンプル６、モダン７等により構成されている。
【００１２】
そして、本発明のモダン７は、その一例を図３〜図６に示すように、内部に複数個の錘８を収納可能な筒状部１１を備え、収納する錘８の数を変えることにより眼鏡全体の重心位置を調節可能としたものである。筒状部１１は、その端部にプラグ１２を備え、筒状部１１に設けた雌螺子とプラグ１２の雄螺子との螺合により筒状部１１を開閉することができる。プラグ１２の代りにキャップ（図示せず）を用い、筒状部１１の雄螺子とキャップの雌螺子とを螺合するようにすることもできる。
【００１３】
筒状部１１の断面は、任意の形状とすることができるが、断面を有効に使用できる円形又は楕円形とすることが好ましく、また、端部にプラグ１２を螺合することから、円形とすることが特に好ましい。したがって、錘８の形状に関しても同様であり、断面を円形又は楕円形とすることが好ましく、円形とすることが特に好ましい。
【００１４】
筒状部１１の内部の一端側にスプリング９を設けることにより、錘８を他端側に付勢することができる。これによって、錘８は筒内の定位置に固定されることになり、眼鏡１の重心位置を所定の位置とすることができる。通常は、重心位置を眼鏡１の後方に移動させるので、錘８がプラグ１２の側に付勢されようにすることが好ましい。
【００１５】
錘８の材質としては、モダン７よりも比重の大きな金属等を用いることが必要であり、安価で比重の大きな材料として、タングステンを使用することができる。また、複数の錘８は、同一形状で同一重量のものを使用すると部品の種類が少なくなり、取り扱いが簡便となって、使用者の調節も容易となる。
本発明のモダン７は、図３〜図６に示した構成とすることにより、使用者が錘８の数を自由に変えることが可能であり、したがって眼鏡１の重心位置を自由に調節することができる。
【００１６】
次に、本発明の他の例を図７及び図８に示す。この実施例ではスプリング９を用いる代わりに、プラグ１２に磁石１３を取り付け、磁石１３の力によって錘８を吸着し、固定する方法である。この場合、磁石１３はプラグ１２の螺子部の先端に接着されている。なお、磁石１３を接着する代わりに、図９に示すようにプラグ１２の螺子部に磁石１３を埋め込む方法を用いてもよい。また、この例においても、磁石１３を備えたプラグ１２の代りに、磁石１３を備えたキャップ（図示せず）を用いることができる。
【００１７】
磁石１３を備えたプラグ１２を用いるとともに、磁石１３によって吸着される錘８を用いることにより、筒状部１１内の錘８はプラグ１２の側に吸着されて固定される。錘８の材質には、磁石１３に吸着される鉄等を用いることができる。或いは、錘８自体を磁石として複数の錘８が相互に吸着し合うようにすると、一層強い力で固定され、非常に好都合となる。この場合、図７に示すように、プラグ１２に取り付ける磁石１３と錘８とを同一の磁石とすると、部品の種類が少なくなるので一層好ましい方法となる。
【００１８】
磁石１３の材質としては、フェライト磁石、サマコバ磁石又はネオジウム磁石等を使用することができる。また、錘８自体を磁石とする場合にも、これらの磁石を使用することができる。なお、錘８自体を磁石とすると、ばらばらにならず紛失し難くなるので、前述のスプリング９を用いる場合の錘８としても用いることができる。
本発明のモダン７は、図７〜図９に示した構成とすることにより、使用者が錘８の数を自由に変えることが可能であり、したがって眼鏡１の重心位置を自由に調節することができる。
【００１９】
次に、本発明のさらに他の例を図１０及び図１１に示す。この実施例は、筒状部１１自体を大きなキャップ状としたものである。すなわち、モダン７を筒状部１１と本体部１４とに二分し、筒状部１１に設けた雌螺子と本体部１４に設けた雄螺子とを螺合させることにより、筒状部１１を開閉可能としたものである。そして、図３の場合と同様に、錘８はスプリング９により付勢されて固定される。
この場合においても、本発明のモダン７は、図１０及び図１１に示した構成とすることにより、使用者が錘８の数を自由に変えることが可能であり、したがって眼鏡１の重心位置を自由に調節することができる。
【図面の簡単な説明】
【００２０】
【図１】本発明のモダンを用いた眼鏡の一例を示す概略平面図である。
【図２】本発明のモダンを用いた眼鏡の一例を示す概略側面図である。
【図３】本発明のモダンの一例を示す概略断面図である。
【図４】図３に示すモダンのプラグを示す概略側面図である。
【図５】図３に示すモダンの錘を示す概略斜視図である。
【図６】図３に示すモダンのスプリングを示す概略斜視図である。
【図７】本発明のモダンの他の例を示す概略断面図である。
【図８】図７に示すモダンのプラグの一例を示す概略側面図である。
【図９】図７に示すモダンのプラグの他の例を示す概略部分断面図である。
【図１０】本発明のモダンのさらに他の例を示す概略断面図である。
【図１１】図１０に示すモダンの筒状部を示す概略斜視図である。
【符号の説明】
【００２１】
１      眼鏡
２      眼鏡レンズ
３      ブリッジ
４      パッド
５      鎧
６      テンプル
７      モダン
８      錘
９      スプリング
１１      筒状部
１２      プラグ
１３      磁石
１４      本体部
【図１】
2006323010.tif 000003
【図２】
2006323010.tif 000004
【図３】
2006323010.tif 000005
【図４】
2006323010.tif 000006
【図５】
2006323010.tif 000007
【図６】
2006323010.tif 000008
【図７】
2006323010.tif 000009
【図８】
2006323010.tif 000010
【図９】
2006323010.tif 000011
【図１０】
2006323010.tif 000012
【図１１】
2006323010.tif 000013